(57)【要約】【課題】  歯肉溝及びインプラント周囲の溝の深さの測定、特に従来の歯周プローブでは測定が困難であったインプラント周囲の溝の深さを測定することが可能な歯肉溝及びインプラント周囲溝用ブラシを提供することを課題とする。【解決手段】  合成繊維製の毛が複数本束ねられた毛束を具備し、該毛束の毛先部の色調が、該毛束の他の部位の色調とは異なることを特徴とする歯肉溝及びインプラント周囲溝用ブラシとする。該毛先部の長さは、毛束の長さよりも短い範囲で、１〜１０ｍｍの範囲であることが好ましい。【選択図】  図３
2014210066.tif 000002
【特許請求の範囲】
【請求項１】
合成繊維製の毛（1a）が複数本束ねられた毛束（１）を具備し、該毛束の毛先部(1b)の色調が、該毛束の他の部位の色調とは異なることを特徴とする歯肉溝及びインプラント周囲溝用ブラシ。
【発明の詳細な説明】
【技術分野】
【０００１】
本発明は、歯肉溝及びインプラント周囲溝用のブラシに関する。より詳細には、歯周病治療やインプラントのメインテナンス時において、プロービングデプスや、出血の有無、プラークの存在等の状態を確認でき、更に清掃を行うことが可能なブラシに関する。
【背景技術】
【０００２】
現在の代表的な歯周疾患として、歯周病やインプラント周囲炎が挙げられる。このような歯周組織に生じる種々の疾患の予防・治療には早期診断が重要であるが、その進行状況を知る手法として、プロービングデプスを測定することが一般に行われている。この測定に用いる器具としては、金属またはプラスチックで成形された先端を有する歯周プローブが知られている。（例えば、特許文献１参照。）。この歯周プローブの先端を、歯肉溝または歯周ポケット（以後、これらを単に歯肉溝と称することがある。）内へ歯に沿わせて挿入し、該先端に設けられた目盛を読むことにより深さを測定する。
【０００３】
しかしながら、特にインプラント治療の場合、インプラントの上部構造である歯科補綴物として図１に示すように形状の起伏が大きいものを適用する場合が多くあり、この場合にはインプラント周囲の溝にプローブを挿入するのが困難である。しかし、従来の歯周プローブは先端に柔軟性がないため、歯肉とインプラントとの間に形成されたインプラント周囲の溝に該先端を挿入させることができないという問題があった。
【０００４】
【特許文献１】実開平２−１１６４２２号公報
【発明の開示】
【発明が解決しようとする課題】
【０００５】
そこで本発明は、歯肉溝及びインプラント周囲の溝（以後、これらを単に溝と称することがある。）の深さの測定、特に従来の歯周プローブでは測定が困難であったインプラント周囲の溝の深さを測定することが可能な歯肉溝及びインプラント周囲溝用ブラシを提供することを課題とする。
【課題を解決するための手段】
【０００６】
本発明者等は前記課題を解決するために鋭意検討した結果、従来の毛束をブラシとした筆様の歯ブラシや歯間ブラシに着目し、これに溝の深さを測定することが可能な機能を付与すると前記課題を解決できることを見出して本発明を完成させた。
【０００７】
即ち本発明は、合成繊維製の毛が複数本束ねられた毛束を具備し、該毛束の毛先部の色調が、該毛束の他の部位の色調とは異なることを特徴とする歯肉溝及びインプラント周囲溝用ブラシである。
【発明の効果】
【０００８】
本発明に係る歯肉溝及びインプラント周囲溝用ブラシは、柔軟性があるためインプラントを用いた歯科補綴物に対しても、その形状に沿わせることができるのでインプラント周囲の溝の深さを測定することが可能である。また同時に、毛束を用いているため溝内の清掃等を同時に行うことができる優れたブラシである。
【図面の簡単な説明】
【０００９】
【図１】従来の歯周プローブを用いて形状の起伏が大きい歯科補綴物を適用したインプラント周囲の溝の深さを測定する場合の説明図である。
【図２】本発明に係る歯肉溝及びインプラント周囲溝用ブラシの一実施例を示す正面図である。
【図３】図２に示した本発明に係る歯肉溝及びインプラント周囲溝用ブラシの毛束部分を拡大した図である。
【図４】本発明の他の実施例に係る歯肉溝及びインプラント周囲溝用ブラシの毛束部分を拡大した図である。
【図５】本発明の更に他の実施例に係る歯肉溝及びインプラント周囲溝用ブラシの毛束部分を拡大した図である。
【発明を実施するための形態】
【００１０】
以下、図面を参照して本発明の実施の形態を説明する。図１は従来の歯周プローブを用いて形状の起伏が大きい歯科補綴物を適用したインプラント周囲の溝の深さを測定する場合の説明図、図２は本発明に係る歯肉溝及びインプラント周囲溝用ブラシの一実施例を示す正面図、図３は図２に示した本発明に係る歯肉溝及びインプラント周囲溝用ブラシの毛束部分を拡大した図、図４は本発明の他の実施例に係る歯肉溝及びインプラント周囲溝用ブラシの毛束部分を拡大した図、図５は本発明の更に他の実施例に係る歯肉溝及びインプラント周囲溝用ブラシの毛束部分を拡大した図である。
【００１１】
図面において、１は合成繊維製の毛1aが複数本束ねられた毛束であり、図３に示したように、該毛束１の一端に位置する毛先部1bの色調は、該毛束１の他の部位の色調とは異なっている。図２に示したように、毛束１の毛先部1bと反対側の一端は後述する基台部２に固定されており、基台部２は後述する把持部３に設けられている。毛束１は基本的に１つであるが、複数本の毛束が更に束ねられて、あるいは複数本の毛束が先端に集中するように配され全体として１つの毛束として構成されていてもよい。
【００１２】
毛1aは合成繊維製であり、ポリプロピレン，ポリエステル系繊維，ポリアミド系繊維等を用いることができる。ポリエステル系繊維としては、例えば、ポリエチレンテレフタレート，ポリブチレンテレフタレート，ポリトリメチレンテレフタレート，ポリプロピレンテレフタレート及びそれらの変成物等が挙げられる。ポリアミド系繊維としては、例えばナイロン６，ナイロン６６，ナイロン６１０，ナイロン６１２，ナイロン４，ナイロン１１，ナイロン１２及びそれらの変成物等を挙げることができる。また、これらの共重合体でも構わない。中でも、本発明における毛1aとしては、ポリアミドの繊維及び／またはポリブチレンテレフタレート繊維が適度の弾性と靱性を持ち、測定中に抜けにくいことが好ましい。
【００１３】
本発明に係る歯肉溝及びインプラント周囲溝用ブラシに用いる毛1aは先端に近づくほど径が細くなるテーパー形状とされている。毛1aの太さは０．０７〜０．８ｍｍであり、好ましくは０．０７〜０．３ｍｍである。なお、本発明で用いる毛1aはテーパー形状であるため、太さは1本の毛の最大径部の太さを示すものとする。
毛1aの基台部から露出している長さは５〜１８ｍｍであり、好ましくは６〜１３ｍｍである。なお、各繊維には口腔内で使用しても衛生上問題のない種類、範囲であれば、各種の公知の添加剤を含有していても構わない。また、毛束１の大きさ（タフト径）は０．５〜４mmであり、好ましくは１．５〜２．５mmである。
【００１４】
本発明における毛先部1bの色調とは外観上の色調を指している。毛束１の毛先部1bの色調を該毛束１の他の部位の色調と異なる色調とする方法は特に限定されないが、例えば、特開２００１−１７８５４２に開示されているように、毛1aとして、繊維断面が多層構造とされ、且つその毛先部1bがテーパー形状とされており、前記多層構造内に色調及び／または色の濃さの互いに異なった少なくとも２つの層を有する合成繊維を使用することが好ましい。この繊維はテーパー形状とされる過程で芯部（繊維断面の中央部）が外部に露出して毛先部1bに明確に色を付与することができる。勿論、毛先部1bのみを他の毛束１の部分と異なる色彩で染めても良い。また、色は３色以上を組み合わせて付与してもよい。３色以上の色を用いると１つのブラシで複数の長さを測定することができる。
【００１５】
毛束１の他の部位の色調とは異なる色調を有する毛先部1bの長さは、毛束１の長さよりも短い範囲で、１〜１０ｍｍの範囲であることが好ましい。該長さが１ｍｍより短いと正確な測定が行いにくく、１０ｍｍを超えて溝内に毛束を挿入することは難しい。より好ましくは溝の深さの目安となる３〜６ｍｍの範囲であり、更に好ましくは、３，４，５，６ｍｍのいずれかである。
【００１６】
毛束１の形状は、図３に示したようにすべての毛1aが同じ長さであれば、溝の深さの確認性が高まるため好ましいが、必ずしもこれに限定されず、溝の深さを測定する機能を失わない範囲で、図４に示したように先端が山型形状とされていたり、図５に示したように先端が片側のみ山型となるようにされていると、溝内により挿入しやすくなることから好ましい。
【００１７】
図面において２は、毛束１の毛先部1bと反対側の一端が固定される基台部である。基台部２に毛束１を固定する方法は、従来の筆様の歯間ブラシと同様の方法が使用でき、例えば、平線で毛束を固定する方法や溶着する方法が使用できる。基台部２は後述する把持部３と一体成形されていても、別部材として構成され、接着等の方法により、または着脱式に把持部に設けられていてもよい。
【００１８】
図面において３は、手指で把持され毛束１を的確に操作しやすくするために具備される把持部である。把持部３の形態は特に限定されないが、従来の歯周プローブと同様の形状であることが使用しやすいので好ましい。また把持部３は、従来の歯間ブラシ等と同様の材質が使用可能であり、木材や金属、プラスチック等が自由に使用可能である。中でも成型のしやすさとコストの点からポリプロピレン等の弾性合成樹脂製であることが好ましい。また、滑り止め部3aの材質をウレタンや合成ゴム等とする等、複数種類の材料の組み合わせであってもよい。
【００１９】
本発明に係る歯肉溝及びインプラント周囲溝用ブラシによれば、特に従来の歯周プローブでは測定が困難であったインプラント周囲の溝の深さについても簡単に測定することができる。また同時に出血の有無、プラークの存在等の状態を確認でき、溝内の清掃を行うこともできる。
【符号の説明】
【００２０】
１  毛束
1a  毛
1b  毛先部
２  基台部
３  把持部
3a  滑り止め部
Ｉ  インプラント体
Ａ  歯科補綴物
Ｐ  従来の歯周プローブ
【図１】
2014210066.tif 000003
【図２】
2014210066.tif 000004
【図３】
2014210066.tif 000005
【図４】
2014210066.tif 000006
【図５】
2014210066.tif 000007